(57)【要約】【課題】熱交換器の腐食を抑制することができる空気調和機の室外機を提供する。【解決手段】空気調和機の室外機１は、導電性を有する底板２と、底板２上に配置された絶縁性を有するスペーサ３と、スペーサ３上に配置された熱交換器４と、熱交換器４より底板２に近い位置に配置されている電極７と、底板２と電極７との間の短絡電流を検知する回路部８とを備えている。【選択図】図２
2010203722.tif 000002
【特許請求の範囲】
【請求項１】
導電性を有する底板と、
前記底板上に配置された絶縁性を有するスペーサと、
前記スペーサ上に配置された熱交換器と、
前記熱交換器より前記底板に近い位置に配置されている電極と、
前記底板と前記電極との間の短絡電流を検知する回路部とを備えた、空気調和機の室外機。
【請求項２】
散水部をさらに備え、
前記回路部が前記底板と前記電極との間の短絡電流を検知した場合に、前記散水部が前記熱交換器に対して散水するよう構成された、請求項１に記載の空気調和機の室外機。
【請求項３】
前記電極は、前記散水部より前記底板に近い位置に配置されている、請求項２に記載の空気調和機の室外機。
【請求項４】
前記散水部の少なくとも表面は、フッ素系樹脂を含む材質よりなっている、請求項２または３に記載の空気調和機の室外機。
【発明の詳細な説明】
【技術分野】
【０００１】
本発明は、空気調和機の室外機に関し、特に、熱交換器の腐食を抑制する空気調和機の室外機に関するものである。
【背景技術】
【０００２】
従来の空気調和機の室外機では、熱交換器としてクロスフィンチューブ熱交換器が使用されている。熱交換器のフィンの材料としては、アルミニウムまたはアルミニウム合金が使用されている。熱交換器の伝熱管の材料としては、銅または銅合金が使用されている。
【０００３】
通常、空気調和機の室外機に搭載されている熱交換器は、底板上に配設されている。底板は通常防錆塗装などの表面処理が施されているが、表面処理が時間経過とともに塩水、海水などにより劣化して底板の鋼板が露出する。その結果、底板の鋼板(鉄)と熱交換器のフィンなどに使用されるアルミニウムまたはアルミニウム合金との間に水分が介在する場合には異種金属接触が発生する。これにより、鋼板（鉄）と、鋼板（鉄）に対して電気化学的に卑なアルミニウムあるいはアルミニウム合金で構成された熱交換器とが局部電池を形成する。そのため、熱交換器に腐食が発生する。
【０００４】
たとえば、特開２００５−１１４２７３号公報（特許文献１）には、空気調和機の室外ユニットにおいて、異種金属接触による熱交換器の腐食を抑制するために、熱交換器と底板との間に、電気化学的に卑な金属もしくは絶縁物からなるスペーサを配置することが記載されている。このスペーサによって、底板と熱交換器とを絶縁することにより、またはスペーサが優先的に腐食されることにより、底板との異種金属接触による熱交換器の腐食が抑制される。
【０００５】
また、たとえば、特開平８−２７１０８９号公報（特許文献２）には、空気調和機の室外機において、温水が散水部材から熱交換器に流出することにより、暖房運転時に熱交換器に付着する霜を洗い流すことが記載されている。
【０００６】
また、たとえば、特開２００２−３５０５５８号公報（特許文献３）には、空気調和機の室外機に温度センサ、気圧センサなどを設けた屋外情報報知装置が記載されている。この屋外情報報知装置では、室外機に設けられた温度センサ、気圧センサなど検知した屋外の情報から洗濯指数、現在の天気、将来の天気などを含む屋外環境情報が生成される。そして屋外環境情報が使用者の視覚、聴覚などの五感に訴えるように報知される。
【先行技術文献】
【特許文献】
【０００７】
【特許文献１】特開２００５−１１４２７３号公報
【特許文献２】特開平８−２７１０８９号公報
【特許文献３】特開２００２−３５０５５８号公報
【発明の概要】
【発明が解決しようとする課題】
【０００８】
しかしながら、特開２００５−１１４２７３号公報（特許文献１）に記載の空気調和機の室外ユニットでは、熱交換器と底板との間のスペーサの近傍に塩分や金属を含んだ砂、土、塵埃などが付着堆積する。これら塩分や金属を含んだ砂、土、塵埃などが底板と熱交換器とが電気的に接触するまで付着堆積し水分を含むと、熱交換器と底板との間に局部電池が形成される。これにより熱交換器において腐食が発生する。
【０００９】
また、特開平８−２７１０８９号公報（特許文献２）に記載の空気調和機の室外機では、散水部材は、暖房運転時の効率化のために熱交換器に向けて散水するものであって、塩分や金属を含んだ砂、土、塵埃などの堆積と水分の介在による底板と熱交換器との異種金属接触時の熱交換器の腐食を抑制するものではない。
【００１０】
また、特開２００２−３５０５５８号公報（特許文献３）に記載の屋外情報報知装置では、天候、温度等を報知する機能しかなく、底板と熱交換器との異種金属接触時の熱交換器の腐食を抑制する効果がない。
【００１１】
本発明は、上記課題に鑑みてなされたものであり、その目的は熱交換器の腐食を抑制することができる空気調和機の室外機を提供することである。
【課題を解決するための手段】
【００１２】
本発明の空気調和機の室外機は、導電性を有する底板と、底板上に配置された絶縁性を有するスペーサと、スペーサ上に配置された熱交換器と、熱交換器より底板に近い位置に配置されている電極と、底板と電極との間の短絡電流を検知する回路部とを備えている。
【発明の効果】
【００１３】
本発明の空気調和機の室外機によれば、熱交換器より底板に近い位置に配置されている電極と、底板と電極との間の短絡電流を検知する回路部とを備えているので、熱交換器の異種金属間接触による腐食の危険性を検知することにより、熱交換器の腐食を抑制することができる。
【図面の簡単な説明】
【００１４】
【図１】本発明の実施の形態１における空気調和機の室外機の概略正面図である。
【図２】本発明の実施の形態１における空気調和機の室外機の概略側面図である。
【図３】本発明の実施の形態１における空気調和機の室外機の検知回路の配置を示す概念図である。
【図４】本発明の実施の形態１における空気調和機の室外機の電極の周辺を示す概略平面図である。
【図５】本発明の実施の形態１における空気調和機の室外機の電極の周辺を示す図４のＶ−Ｖ線に沿った概略側面図である。
【図６】本発明の実施の形態１における空気調和機の室外機の検知回路であって、短絡電流が発生していない状態を示す回路図である。
【図７】本発明の実施の形態１における空気調和機の室外機の検知回路であって、短絡電流が発生している状態を示す回路図である。
【図８】本発明の実施の形態１における空気調和機の室外機の検知回路と散水装置との関係を示す概念図である。
【図９】本発明の実施の形態２における空気調和機の室外機の電極の周辺を示す概略側面図である。
【発明を実施するための形態】
【００１５】
以下、本発明の実施の形態について図に基づいて説明する。
（実施の形態１）
最初に、本発明の実施の形態１の空気調和機の室外機の構成について説明する。
【００１６】
図１および図２を参照して、本実施の形態の空気調和機の室外機１は、底板２と、スペーサ３と、熱交換器４と、電極７と、回路部８と、機械室９と、圧縮機１０と、送風機１１と、カバー１２と、散水配管１４とを主に有している。なお、図１においては、見やすくするため空気調和機の室外機のフロント部およびトップ部のカバー１２は図示されていない。また、図２においては、見やすくするため空気調和機の室外機のトップ部のカバー１２は図示されていない。
【００１７】
底板２と、カバー１２により内部が中空の筐体が構成されている。その筐体の中空の内部に、スペーサ３と、熱交換器４と、電極７と、回路部８と、機械室９と、圧縮機１０と、送風機１１と、散水配管（散水部）１４とが配置されている。底板２は、導電性を有しており、たとえば鋼板よりなっている。底板２上にスペーサ３が配置されている。スペーサ３は絶縁性を有している。スペーサ３上に熱交換器４が配置されている。つまり熱交換器４と底板２との間にスペーサ３が挟まれている。
【００１８】
熱交換器４の前面の一部に対向して機械室９が配置されている。送風機１１の風路から離れた機械室９の背面壁１３に電極７が設置されている。電極７は機械室９の背面壁１３に絶縁物１５で固定されている。電極７は回路部８と電気的に接続されている。機械室９の上部には回路部８が載置されている。回路部８は検知回路を有している。
【００１９】
熱交換器４と電極７との間には、散水配管１４が配置されている。散水配管１４は、熱交換器４の前面と対向するように配置されている。散水配管１４は、熱交換器４の全幅より長い寸法に形成されている。また、散水配管１４は、スペーサ３より底板２から離れた位置に配置されている。散水配管１４は、熱交換器４および電極７に洗浄水を散水して、熱交換器４および電極７に付着堆積した塩分や金属を含んだ砂、土、塵埃などを清掃する。
【００２０】
熱交換器４は複数のフィン５と伝熱管６とを有している。伝熱管６は、複数のフィン５を貫通するように配置されている。フィン５および伝熱管６は導電性を有している。フィン５の材料にはアルミニウムあるいはアルミニウム合金が使用される。伝熱管６の材料には銅あるいは銅合金が使用される。なお、伝熱管６の材料にはアルミニウムあるいはアルミニウム合金が使用されてもよい。この場合、伝熱管６における異種金属接触による腐食が抑制されるので、伝熱管６の孔食発生による冷媒漏れを防止することができる。
【００２１】
伝熱管６の両端部は圧縮機１０に接続されている。熱交換器４により、熱交換が行われる。つまり、伝熱管６の内部ではフロンガスなどの冷媒が循環しており、その冷媒の熱が伝熱管６からフィン５に伝わることで熱交換が行われる。圧縮機１０は機械室９の下部に載置されている。
【００２２】
熱交換器４の前面と機械室９の側面との間のスペースに送風機１１が配置されている。送風機１１が駆動部１７によって回転されることにより室外機１のカバー１２のフロント部に設けられたグリル１６を通って熱交換器４の冷媒の熱が室外機１の外に放出される。
【００２３】
図３を参照して、回路部８は、底板２と電極７との間の短絡電流を検知するためのものであり、一方の先端が電極７に配線１８で接続されており、他方の先端が底板２に配線１９で接続されている。回路部８は、底板２と電極７との間に塩分や金属を含んだ砂、土、塵埃などが付着堆積して底板２と電極７とが電気的に接続されると、短絡電流を検知する。
【００２４】
図４および図５を参照して、電極７はたとえば銅で構成されている。また、電極７は、検知回路に流れる電流を充分に大きくするためにたとえば直径５ｍｍの円柱形状に形成されている。電極７は、円筒形状の絶縁物１５にはめ込まれている。電極７がはめ込まれた絶縁物１５が機械室９の背面壁１３に固定されている。これにより、電極７は機械室９と電気的に絶縁された状態で背面壁１３に対して固定されている。絶縁物１５はたとえばフッ素系樹脂材料で形成されている。
【００２５】
熱交換器４と、電極７と、散水配管１４とは互い近接して配置されている。電極７は熱交換器４より底板２に近い位置に配置されている。つまり電極７は、電極７の最下部が熱交換器４の最下部より下方に位置するように配置されている。電極７は、散水配管１４より底板２に近い位置に配置されている。つまり電極７は、電極７の最上部が散水配管１４の最上部より下方に位置するように配置されている。塩分や金属を含んだ砂、土、塵埃などの付着堆積物２２は図５に示す形状で底板２と電極７との間に付着堆積される。
【００２６】
図６および図７を参照して、回路部８の検知回路は、電源３１と、電流計３２と、保護抵抗３３と、抵抗３４と付着堆積物抵抗３５とを主に有している。図６に示すように、短絡電流が発生していない状態においては、検知回路は、電極７と底板２との間において、電源３１、電流計３２および保護抵抗３３とを有する経路と、抵抗３４を有する経路との並列回路で構成されている。図７に示すように、付着堆積物２２により底板２と電極７とが短絡した場合には付着堆積物抵抗３５が形成される。
【００２７】
本実施の形態では、検知回路の電源３１はたとえば１Ｖである。保護抵抗３３は非常に小さい値である。抵抗３４はたとえば１ＭΩである。したがって、短絡電流が発生しない場合に検知回路に流れる電流は約１μＡである。一方、たとえば底板２から熱交換器４までの高さ、つまりスペーサ３の高さが３ｍｍ、付着堆積物２２の抵抗率が１００Ωｃｍ、電極７の直径が５ｍｍの場合では、短絡電流は、約６ｍＡとなる。つまり付着堆積物２２により電極７と底板２とが短絡した場合、検知回路には短絡電流が発生しない場合と比較して大きな電流が流れる。そのため電流の変化を測定することにより短絡が発生したことを検出することができる。
【００２８】
図８を参照して、検知回路の電流計３２がたとえば１ｍＡ以上の電流を検知すると、スイッチに対して出力が行なわれる。出力を受けたスイッチが散水配管１４に設けられた電磁弁に対して開指示を行なう。散水配管１４は、水道栓８１に接続されている。散水配管１４は、電磁弁が開かれることにより、散水配管１４に形成された散水穴から熱交換器４および付着堆積物２２に対して散水を行なう。
【００２９】
これにより、付着堆積物２２が散水配管１４からの散水によって清掃される。このようにして、付着堆積物２２の過度の堆積が防止されるので、熱交換器４の腐食を抑制することができる。
【００３０】
散水配管１４に設けられた散水穴の大きさや散水穴同士の間隔が広すぎて洗浄水が届かない部分ができると、その部分に塩分や金属を含んだ砂、土、塵埃などが付着堆積し、熱交換器の腐食を抑制することができない。そのため、散水配管１４に設けられた散水穴の大きさや散水穴同士の間隔は、洗浄水によりフィン５間および底板２全面を洗い流せるように形成されている。また、散水穴の大きさや散水穴同士の間隔は、散布される洗浄水の水圧を低下させないように形成されている。
【００３１】
次に、本実施の形態の空気調和機の室外機の作用効果について説明する。
本実施の形態の空気調和機の室外機１によれば、熱交換器４より底板２に近い位置に配置されている電極７と、底板２と電極７との間の短絡電流を検知する回路部８とを備えている。そのため、熱交換器４と底板２との間に塩分や金属を含んだ砂、土、塵埃などの付着堆積物２２が水分を介して付着堆積することにより、熱交換器４と底板２とが電気的に接続されて局部電池が形成されたと想定される状況において、熱交換器４の腐食の危険性を検知することができる。
【００３２】
つまり、電極７が熱交換器４より底板２に近い位置に配置されているため、熱交換器４および底板２において付着堆積物２２および水分により局部電池が形成される前に、底板２と電極７との間に短絡電流が発生する。そのため、底板２と電極７との間の短絡電流を回路部８で検知することにより、熱交換器４の局地電池が形成されることによる腐食の危険性を検知することができる。これにより、熱交換器４の腐食を抑制することができる。
【００３３】
また、本実施の形態の空気調和機の室外機１によれば、回路部８が底板２と電極７との間の短絡電流を検知することにより、自動的に散水配管１４より洗浄液を熱交換器４および熱交換器４に付着した付着堆積物２２に対して散水するよう構成されていることによって付着堆積物２２を取り除くことができる。これにより、熱交換器４の腐食を抑制することができる。
【００３４】
また、電極７および電極７に付着した付着堆積物２２に対して散水配管１４より散水するよう構成されていることにより、付着堆積物２２が取り除かれる。これにより、底板２と電極７との間の短絡電流を繰り返し検知することができるので、継続的に熱交換器４の腐食を抑制することができる。
【００３５】
（実施の形態２）
本発明の実施の形態２の空気調和機の室外機は、実施の形態１の空気調和機の室外機と比較して、散水配管（散水部）の位置、散水配管の構成が主に異なっている。
【００３６】
最初に本実施の形態の空気調和機の室外機の構成について説明する。
図９は、実施の形態１における空気調和機の室外機の電極の周辺を示す概略側面図である図５に対応する図である。図９を参照して、散水配管１４が熱交換器４の下に配置されたスペーサ３の内側に配置されている。スペーサ３には空間が形成されており、散水配管１４が熱交換器４および付着堆積物２２に対してその空間を通じて散水する。散水配管１４には、フッ素系樹脂コーティング層４１が形成されるかまたは散水配管１４自体がフッ素系樹脂で形成されている。
【００３７】
散水配管１４が熱交換器４の下に配置されたスペーサ３の内側に配置されているため、電極７と熱交換器４の前面との距離は実施の形態１に比べて短くなっている。
【００３８】
なお、本実施の形態のこれ以外の構成は上述した実施の形態１と同様であるため、同一の要素については同一の符号を付し、その説明を省略する。
【００３９】
次に、本実施の形態の空気調和機の室外機の作用効果について説明する。
以上により、本実施の形態の空気調和機の室外機１によれば、実施の形態１と同様の作用効果を有する。
【００４０】
また、本実施の形態の空気調和機の室外機１によれば、散水配管（散水部）１４の少なくとも表面は、フッ素系樹脂を含む材質よりなっているので、汚れにくい。そのため塩分や金属を含んだ砂、土、塵埃などの付着堆積物２２が散水配管１４へ堆積するのを抑制することができる。これにより、回路部８が短絡電流を検知した場合に、速やかに付着堆積物２２を洗浄することができる。
【００４１】
つまり、散水配管１４は、付着堆積した塩分や金属を含んだ砂、土、塵埃などを洗浄して除去することができるように熱交換器４の周囲の任意の位置に配置され得る。しかし、散水配管１４が熱交換器４の最下部より下側に配置される場合は、付着堆積した塩分や金属を含んだ砂、土、塵埃などにより散水穴が塞がれることがある。そのため、このような構造にする場合は、散水配管１４にフッ素系樹脂コーティング層４１が形成されるかまたは散水配管１４自体にフッ素系樹脂が用いられる。
【００４２】
フッ素系樹脂は汚れにくいため、塩分や金属を含んだ砂、土、塵埃などの付着堆積物２２が散水配管１４へ堆積するのを抑制することができる。これにより、散水配管１４の散水穴が付着堆積物２２で塞がれることを抑制することができるので回路部８が短絡電流を検知した場合に、速やかに付着堆積物２２を洗浄することができる。
【００４３】
また、本実施の形態の空気調和機の室外機１によれば、散水配管１４を熱交換器４の下に配置されたスペーサ３の内側に配置することができる。これにより、電極７と熱交換器４の前面との距離を短くすることができるので、空気調和機の室外機１を小さくすることができる。
【００４４】
なお、上記では散水部として散水配管１４を説明したが、これに限定されず散水できる構成であればよい。また上記では散水部より散水される洗浄水は水道水を説明したが、これに限定されず室外機１の凝縮水が集められて使用されてもよい。
【００４５】
また、付着堆積物２２を清掃する構成は、上記では散水部を説明したが、これに限定されずスプレーなどにより送風して付着堆積物２２を吹き飛ばす構成であってもよく、また掃除機などにより付着堆積物２２を吸い込む構成であってもよい。
【００４６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【産業上の利用可能性】
【００４７】
本発明は、熱交換器の腐食を抑制する空気調和機の室外機に特に有利に適用され得る。
【符号の説明】
【００４８】
１  室外機、２  底板、３  スペーサ、４  熱交換器、５  フィン、６  伝熱管、７  電極、８  回路部、９  機械室、１４  散水配管、１５  絶縁体、１８，１９  配線、３１  電源、３２  電流計、３３  保護抵抗、３４  抵抗、３５  付着堆積物抵抗、４１  フッ素系樹脂コーティング層。
【図１】
2010203722.tif 000003
【図２】
2010203722.tif 000004
【図３】
2010203722.tif 000005
【図４】
2010203722.tif 000006
【図５】
2010203722.tif 000007
【図６】
2010203722.tif 000008
【図７】
2010203722.tif 000009
【図８】
2010203722.tif 000010
【図９】
2010203722.tif 000011